(57)【要約】  薬剤を体へと経皮的に浸透させるための超音波薬剤ペーストおよびその製造方法。この薬剤ペーストは、土台層としての粘着層（１）と、前記粘着層（１）に隣接する薬剤層（２）と、超音波信号を生成するための超音波トランスデューサ（３）と、電気信号を供給し、前記超音波トランスデューサ（３）を駆動して超音波信号を生成させる駆動ユニット（４）と、外表面を覆う被覆層（５）とを含んでいる。
2011502659.tif 000002
【特許請求の範囲】
【請求項１】
土台層としての粘着層と、
前記粘着層に直接隣接する薬剤層と、
超音波信号を生成する超音波トランスデューサと、
電気信号を供給し、前記超音波トランスデューサを駆動して前記超音波信号を生成させる駆動ユニットと、
ペーストの外表面を覆う被覆層と、
を含む超音波薬剤ペースト。
【請求項２】
前記粘着層が、良好な透過性を有する可撓材料で作られている請求項１に記載の超音波薬剤ペースト。
【請求項３】
前記粘着層が、穴開けされた布で作られている請求項１または２に記載の超音波薬剤ペースト。
【請求項４】
剥離フィルムが、前記粘着層のうちの接着剤でコーティングされた表面に取り付けられている請求項１または２に記載の超音波薬剤ペースト。
【請求項５】
前記薬剤層が、薬剤が噴き付けられるか、あるいは薬剤で十分に湿らされる吸着材料で作られている請求項１に記載の超音波薬剤ペースト。
【請求項６】
前記可撓材料の一方の表面が、接着剤でコーティングされ、反対の表面が、２つの表面領域、すなわち第１の領域および第２の領域を含む請求項２に記載の超音波薬剤ペースト。
【請求項７】
前記被覆層が、可撓材料で製作され、その一部分が前記薬剤層、前記超音波トランスデューサ、および前記駆動ユニットを覆うために使用される一方で、残りの部分が、前記粘着層の前記第２の領域に組み合わせられて、自由に曲げることができる貼り付け縁を形成する請求項１に記載の超音波薬剤ペースト。
【請求項８】
前記駆動ユニットが、電源および超音波駆動回路を備えており、該電源が、当該ペーストの内部に配置され、あるいは当該ペーストの外部に別途配置される請求項１に記載の超音波薬剤ペースト。
【請求項９】
前記電源が、当該ペーストの内部に配置され、前記超音波駆動回路と一体化され、前記超音波トランスデューサの背後に配置され、オン／オフ用フィルムによってオフにされつつ前記超音波トランスデューサおよび前記超音波駆動回路へと電気的に接続されており、前記フィルムの一端が、動作時に当該ペーストを駆動すべく前記電源をオンにするために引き抜かれるように、当該ペーストの外部へと露出されている請求項８に記載の超音波薬剤ペースト。
【請求項１０】
前記電源が、当該ペーストの外部に配置され、外部の電池ボックス、電池、電源リード、プラグ、および当該ペーストに配置された固定のソケットを備えており、前記電池が、前記電池ボックスに配置され、前記電源リードを介して前記プラグへと接続されており、当該ペーストに位置する前記固定のソケットが、前記超音波駆動回路および前記超音波トランスデューサへと電気的に接続されており、動作時に当該ペーストを動作させるべく前記電源をオンにするために、前記プラグが前記固定のソケットへと挿入される請求項８に記載の超音波薬剤ペースト。
【請求項１１】
超音波薬剤ペーストを製造するための方法であって、
当該ペーストの最も下方の層であって、良好な透過性を有する可撓材料で作られる粘着層の一方の表面を接着剤でコーティングするステップであって、粘着層の反対の表面が２つの表面領域、すなわち第１の領域および第２の領域を含むステップ、
前記第１の領域へと、薬剤層、超音波トランスデューサ、および駆動ユニットを固定するステップ、
前記第２の領域を接着剤でコーティングして、被覆層と組み合わせるステップ、
吸着性材料へと薬剤を噴霧し、あるいは吸着性材料を薬剤で十分に湿らせることで、薬剤層を形成するステップ、
前記超音波トランスデューサの超音波放射面が前記薬剤層へと直に取り付けられる状態で、前記薬剤層を前記第１の領域に固定するステップ、
電源をオフに保つためにオン／オフ用フィルムを使用し、前記電源をオンにすべく動作時に引き抜かれるように前記オン／オフ用フィルムの一端を当該ペーストの外部に露出させるステップ、および
前記被覆層の一部分で前記薬剤層、前記超音波トランスデューサ、および前記駆動ユニットを一体的に覆って、前記薬剤層、前記超音波トランスデューサ、および前記駆動ユニットを前記粘着層の前記第１の領域に固定するとともに、残りの部分を前記粘着層の前記第２の領域に組み合わせ、当該ペーストを人体の平坦でない皮膚表面にフィットさせることができるよう、自由に曲げることができる貼り付け縁を形成するステップ、
を含んでいる方法。
【請求項１２】
前記第１の領域が、前記粘着層の中央に位置しておらず、前記第２の領域が、非対称な外周である請求項１１に記載の方法。
【発明の詳細な説明】
【技術分野】
【０００１】
本出願は、２００７年１１月１３日に中華人民共和国において出願された「ＤＩＳＰＯＳＡＢＬＥ  ＵＬＴＲＡＳＯＮＩＣ  ＭＥＤＥＣＩＮＥ  ＰＡＳＴＥ」という名称の中国特許出願第２００７１０１８８１６５．６号への優先権を主張し、同出願の全内容が、参照によって本明細書に援用される。
【０００２】
本発明は、超音波医療装置に関し、特に超音波を利用することによって薬剤を組織へと経皮的に届けるための装置に関する。
【背景技術】
【０００３】
現時点において、薬剤による既存の治療のために、注射、経口投与、および経皮投与という３つの主たる投与経路が存在する。注射は、静脈または筋肉へと実行する必要があり、感染の発生の可能性に悩まされる。血液内を循環し、薬剤が比較的短期間で患部に作用し、薬剤の大部分が除去され、かなりの無駄につながる。経口投与の薬剤は、消化器系による消化および吸収の後で効能が低下する。さらに、薬剤の大部分は味が苦く、患者による薬物の摂取に困難を引き起こす。したがって、薬剤を経皮的に患部へと適用することが、医薬の有望な領域となっている。従来からの局所適用は、薬剤を包帯またはバンデージによって患部へと直接適用する。皮膚および筋肉組織が透過性に乏しいため、治療の期間が長期化し、患者にとって大きな不便を引き起こす。医学のますますの発展によって、電子および超音波の手段によって患者の体へと薬剤を届けるための医療装置が開発されており、薬剤の吸収および治療の効果を効果的に高めている。電子装置に比べ、超音波装置が、非侵襲的であって無放射であるため、より頻繁に利用されている。従来技術において、薬剤を経皮的に届けるための超音波装置は、主として超音波による霧化、熱の導入、振動の導入、などを利用している。中国特許出願第９０１０３６４７．１号が、薬剤の溶液を浸透させるための超音波装置を開示しており、薬剤の溶液で湿らされた布地またはコットン紙が患部へと適用され、次いで超音波プローブが配置されて往復運動させられることで、薬剤の溶液が治療効果を達成すべく高周波振動によって組織へと浸透させられる。中国特許出願第０３８０２４７６．４号が、超音波経皮装置、超音波経皮補助製品、および超音波による経皮的送達のための方法を開示している。この出願は、薬剤を皮膚、筋肉、および脂肪を通って治療対象の部位へと安全かつ効果的に浸透させるための装置および方法を開示している。さらに、異なる周波数を有する超音波が、薬剤を異なる部位へと浸透させるために使用されている。しかしながら、従来技術に開示の技法は、超音波を薬剤の浸透を改善するための手段としてしか使用しておらず、超音波および薬剤を一体として考えてはおらず、それらの一体化または小型化に言及していない。
【０００４】
要約すると、従来技術の超音波経皮送達装置は、構造が複雑であること、患者が自分自身で使用するには不便であること、薬剤が超音波システムによって分離され、目標を外れて周囲の組織に損傷を生じさせる傾向があること、および何名かの患者を治療するために同じプローブが使用され、相互汚染を生じる傾向があること、などといった欠点を抱えている。本発明による統合的な超音波薬剤ペーストは、上記の問題を完全に解決する。さらには、低コストであって、大規模な製造および商業化に適している。
【発明の概要】
【発明が解決しようとする課題】
【０００５】
本発明は、上記の欠点を克服し、超音波薬剤ペーストを提供する。この薬剤ペーストは、構造が単純であり、使用および作成が容易である。
【課題を解決するための手段】
【０００６】
本発明に従って技術的課題を解決するために使用される技術的解決策は、以下のとおりである。すなわち、超音波薬剤ペーストが、土台層としての粘着層と、前記粘着層に直接隣接する薬剤層と、超音波信号を生成する超音波トランスデューサと、電気信号を供給し、前記超音波トランスデューサを駆動して超音波信号を生成させる駆動ユニットと、外表面を覆い、当該ペーストを一体に形成する被覆層とを有する。
【０００７】
粘着層は、穴開けされた布など、良好な透過性を有する可撓材料で作られ、そのいずれかの表面が、相互汚染を避けるための接着剤でコーティングされる。接着剤でコーティングされる表面の反対側の表面が、２つの表面領域、すなわち第１の領域および第２の領域を有する。
【０００８】
粘着層の接着剤がコーティングされた表面には、剥離フィルムがさらに取り付けられる。治療の際に、剥離フィルムを引き剥がすことができ、ペーストを治療対象の部位へと取り付けることができる。
【０００９】
薬剤層が、薬剤が噴き付けられた吸着材料または薬剤に浸された吸着材料で製作され、押し付けおよび付着などによって前記第１の領域に固定される。薬剤層に、超音波トランスデューサの超音波放射面が直に隣接する。
【００１０】
駆動ユニットが、超音波トランスデューサの背後に位置し、超音波駆動回路および電源（一体化されており、あるいは一体化されていない）を備える。
【００１１】
電源は、ペーストに一体化される場合には、超音波駆動回路と同じ層に配置され、超音波トランスデューサの背後に配置される。電源が、オン／オフ用フィルムによってオフにされつつ、超音波トランスデューサおよび超音波駆動回路に電気的に接続されており、オン／オフ用フィルムの一端が、ペーストの外部へと露出している。被覆層の一部分が、薬剤層、超音波トランスデューサ、および駆動ユニットを一体的に覆って、これらを粘着層の前記第１の領域に固定する一方で、残りの部分は、粘着層の前記第２の領域に組み合わせられ、自由に曲げることができる貼り付け縁を形成する。動作時には、オン／オフ用フィルムが引き抜かれることで、電源がオンにされてペーストが動作する。
【００１２】
電源は、ペーストの外部に配置される場合には、外部の電池ボックス、電池、電源リード、プラグ、およびペーストに配置された固定のソケットを備える。電池が電池ボックスに配置され、電源リードを介してプラグへと接続される。ペーストに位置する固定のソケットが、超音波駆動回路および超音波トランスデューサに電気的に接続される。被覆層の一部分が、薬剤層、超音波トランスデューサ、および駆動ユニットを一体的に覆って、これらを粘着層の前記第１の領域に固定する一方で、残りの部分は、粘着層の前記第２の領域に組み合わせられ、自由に曲げることができる貼り付け縁を形成する。動作時には、プラグが固定のソケットへと挿入されることで、電源がオンにされてペーストが動作する。
【００１３】
本発明の超音波ペーストに対応して、このペーストを製造するための方法も提供され、そのような方法は、
当該ペーストの最も下方の層であって、良好な透過性を有する可撓材料で作られる粘着層を接着剤でコーティングするステップであって、前記接着剤でコーティングされる表面とは反対側の表面が、２つの表面領域、すなわち第１の領域および第２の領域を有するステップ、
前記第１の領域へと、薬剤層、超音波トランスデューサ、および駆動ユニットを固定するステップ、
前記第２の領域を接着剤でコーティングして、被覆層と組み合わせるステップ、
強い吸着材料に薬剤を噴霧し、あるいは薬剤を染み込ませ、薬剤層を形成するステップ、
超音波放射面が前記超音波トランスデューサへと直に取り付けられる状態で、前記薬剤層を前記粘着層の前記第１の領域に固定するステップ、
電源をオフに保つようにオン／オフ用フィルムを配置し、前記電源をオンにすべく動作時に容易に引き抜かれるように前記オン／オフ用フィルムの一端をペーストの外部に露出させるステップ、および
前記被覆層の一部分で前記薬剤層、前記超音波トランスデューサ、および前記駆動ユニットを一体的に覆って、これらを前記粘着層の前記第１の領域に固定する一方で、前記被覆層の残りの部分を前記粘着層の前記第２の領域に組み合わせ、ペーストを人体の平坦でない皮膚表面にフィットさせることができるよう、自由に曲げることができる貼り付け縁を形成するステップ
を含んでいる。
【００１４】
本発明は、以下の利点を有している。本発明は、超音波システムを薬剤ペーストへと巧妙に取り入れ、ペーストをより早くかつ良好に臨床に使用できるよう、ペーストを軽量、便利、かつ使い捨てのままに保ちつつ、ペーストの有用性を大いに改善している。本発明は、構造が単純であり、製造が容易であり、使い勝手がよく、感染、苦痛、および恐怖などといった注射によって引き起こされる不都合な結果を回避することができる。本発明の構造は、超音波ペーストを従来からのペーストと同じやり方で使用することを可能にし、超音波薬剤浸透技術の臨床における使用を妨げる重要課題に対処する。
【図面の簡単な説明】
【００１５】
【図１】本発明の概略図である。
【図２】実施例１の断面図である。
【図３】実施例２の断面図である。
【図４】実施例２の外部電源の概略図である。
【図５】本ペーストの貼り付け縁の外形の概略図である。
【図６】本ペーストの貼り付け縁の別の外形の概略図である。
【発明を実施するための形態】
【００１６】
以下、本発明の構造および達成できる効果を、図面とともにさらに詳細に説明する。
【００１７】
実施例１
図１に示すように、本発明による超音波薬剤ペーストは、粘着層１、薬剤層２、超音波トランスデューサ３、駆動ユニット４、および被覆層５を含んでいる。薬剤層２、超音波トランスデューサ３、および駆動ユニット４が、下から上へと順に積層され、被覆層５がこれら３つの層を覆っている。粘着層１は、土台層である。
【００１８】
図２に示すように、粘着層１が、このペーストの最も下方の層であって、良好な透過性を有する可撓材料で製作されている。この実施例では、粘着層１が、穴開けされた布で製作されており、その一方の表面が、１回限りの取り付けのための接着剤で覆われている。粘着層の他方の表面は、２つの領域を有しており、すなわち好ましくは布の中央に位置し、薬剤層２、超音波トランスデューサ３、および駆動ユニット４を固定するために使用される第１の領域１１と、好ましくは布の周辺に位置し、被覆層への付着のための接着剤で覆われてよい第２の領域１２とを有している。このペーストを、第１の領域１１が中央には位置せず、第２の領域が非対称である様相で製作して、特定の部位の治療を容易にすることもできる。
【００１９】
薬剤層２は、高度に吸着性の材料で製作され、薬剤が噴き付けられるか、あるいは薬剤で十分に湿らされている。この実施例では、薬剤の溶液で十分に湿らされた不織布が好ましい。薬剤層は、粘着層１の第１の領域１１に取り付けられる。超音波トランスデューサ３の超音波放射面が、薬剤層へと直に取り付けられる。
【００２０】
この実施例では、駆動ユニット４が、電源４１および超音波駆動回路４２を備えており、超音波トランスデューサ３の背面に位置している。電源４１は、好ましくは電池であり、超音波駆動回路４２および超音波トランスデューサ３のそれぞれへと電子的に接続されている。オン／オフ用フィルム７が、電源を開状態に保つために使用されており、オン／オフ用フィルム７の一方の端部がペーストの外部へと露出されており、動作時に電源をオンにすべくオン／オフ用フィルム７を容易に抜き取ることができるようにしている。
【００２１】
被覆層５の一部分が、薬剤層２、超音波トランスデューサ３、および駆動ユニット４を一体的に覆って、これらを粘着層１の第１の領域１１に固定する一方で、残りの部分は、粘着層１の第２の領域１２に組み合わせられ、ペーストを患者の平坦でない皮膚表面にフィットさせることができるよう、自由に曲げることができる貼り付け縁を形成している。
【００２２】
さらに、この実施例は、粘着層の接着剤で覆われた表面へと取り付けられ、使用時に処分することができる使い捨ての剥離フィルムを含んでいる。
【００２３】
本発明の薬剤ペーストを治療のために使用するとき、最初に剥離フィルムが剥がされ、ペーストが、治療を必要とする部位の皮膚表面へと、粘着層１によって貼り付けられる。次いで、オン／オフ用フィルム７が、電源をオンにすべく、外部へと露出されている端部を引っ張ることによって引き抜かれ、結果として超音波トランスデューサ３が超音波駆動回路４２によって駆動され、薬剤層２に向かって超音波を放射する。このようにして、薬剤の溶液が、良好な透過性を有している粘着層１、体の皮膚、組織、などを通って患部へと浸透し、薬剤が患部に作用して治療を達成する。
【００２４】
図５および図６は、粘着層１上で被覆層５および第２の領域１２を組み合わせることによって形成される曲がった貼り付け縁の概略図である。しかしながら、貼り付け縁の外形は、これらに限られない。本発明の薬剤ペーストは、サイズが小さくかつ単純であるため、治療の際に患部の皮膚に容易に取り付けることができ、治療の後で引き剥がすことができる。
【００２５】
実施例２
図３および図４に示すように、薬剤ペーストをさらに最小化するために、この実施例は、駆動ユニット４の電源４１が一体化されていない点で、実施例１と相違する。外部電源４１が、電池ボックス６０、電池６４、電源リード６３、プラグ６２、およびペーストに配置された固定のソケット６１を備えている。電池６４が電池ボックス６０に配置され、電気の経路を形成すべく電源リード６３を介してプラグ６２へと接続される。固定のソケット６１が、駆動ユニット４２および超音波トランスデューサ３へと電気的に接続されている。この実施例において、被覆層５の一部分が、薬剤層２、超音波トランスデューサ３、および超音波駆動ユニット４２を覆って、これらを粘着層１の第１の領域１１に固定する一方で、残りの部分は、粘着層１の第２の領域１２に組み合わせられ、自由に曲げることができる貼り付け縁を形成している。このペーストを使用するとき、電源をオンにすべくプラグ６３がソケット６４へと挿入され、ペーストが動作を開始する。
【００２６】
超音波トランスデューサを、さまざまな動作周波数を有する超音波トランスデューサから選択できること、および超音波トランスデューサの数が、１つのみに限定されないことを、当業者であれば理解できるであろう。代わりに、適切な数の超音波トランスデューサを、ペーストを異なる周波数のもとで機能させることができるように、必要に応じて選択することができる。異なる周波数を有する超音波トランスデューサを、交互または同時に動作させることができる。
【００２７】
超音波トランスデューサの電源をオン／オフするための手段は、オン／オフ用フィルムに限られない。この技術分野において公知の他の手段も、本発明の技術的範囲から逸脱することなく使用可能である。
【００２８】
上述した２つの実施例に対応して、さらに本発明は、以下のステップを含む超音波ペーストを製造するための方法も提供する。
【００２９】
３００．粘着層の一方の表面へと接着剤をコーティングするステップであって、他方の表面が２つの表面領域、すなわち第１の領域および第２の領域を有するステップ。粘着層１は当該ペーストの最も下方の層であって、良好な透過性を有する可撓材料で作られている。この実施例では、粘着層１が穴開けされた布で製作され、一方の表面が１回限りの取り付けのための接着剤でコーティングされている。
【００３０】
３０１．好ましくは、ペーストの中央に位置する第１の領域１１へと、薬剤層２、超音波トランスデューサ３、および駆動ユニット４を固定するステップ。
【００３１】
３０２．第２の領域を接着剤でコーティングして、被覆層と組み合わせるステップであって、第２の領域１２は、好ましくは、周辺領域に位置しており、被覆層との結合のための接着剤でコーティングすることができるステップ。このペーストを、第１の領域１１が中央には位置せず、第２の領域１２が非対称であるように製作して、特定の形状を有する部位の治療を容易にすることもできる。
【００３２】
３０３．強い吸着材料へと噴霧または浸漬によって薬剤を適用することで、薬剤層２を製作するステップ。薬剤の溶液で十分に湿らされた不織布が好ましい。
【００３３】
３０４．粘着層１の前記第１の領域１１へと前記薬剤層を固定するステップ。超音波トランスデューサ３の超音波放射面は前記薬剤層へと直に取り付けられる。
【００３４】
この実施例では、駆動ユニット４が、電源４１および超音波駆動回路４２を備えており、超音波トランスデューサ３の背面に位置している。電源４１は、好ましくは電池であり、超音波駆動回路４２および超音波トランスデューサ３へと電子的に接続されている。オン／オフ用フィルム７が、電源を開状態に保つために使用されており、オン／オフ用フィルム７の一方の端部がペーストの外部へと露出されており、動作時に電源をオンにすべくオン／オフ用フィルム７を容易に抜き取ることができるようにしている。
【００３５】
３０５．被覆層５の一部分で薬剤層２、超音波トランスデューサ３、および駆動ユニット４を一体的に覆って、薬剤層２、超音波トランスデューサ３、および駆動ユニット４を粘着層１の第１の領域１１に固定する一方で、被覆層５の残りの部分を粘着層１の第２の領域１２に組み合わせ、ペーストを患者の平坦でない皮膚表面にフィットさせることができるよう、自由に曲げることができる貼り付け縁を形成するステップ。
【００３６】
さらに、この実施例は、粘着層のうちの接着剤でコーティングされた表面へと取り付けられ、使用時に処分することができる剥離フィルムを含んでいる。
【００３７】
本発明の薬剤ペーストを治療のために使用するとき、最初に剥離フィルムが剥がされ、ペーストが、治療を必要とする部位の皮膚表面へと、粘着層１によって貼り付けられる。次いで、電源をオンにするために、オン／オフ用フィルム７が外部へと露出されている端部を引っ張ることによって引き抜かれ、結果として超音波トランスデューサ３が超音波駆動回路４２によって駆動され、薬剤層２に向かって超音波を放射する。このようにして、薬剤の溶液が、良好な透過性を有する粘着層１、体の皮膚、組織、などを通って患部へと浸透し、薬剤が患部に作用して治療を達成する。
【００３８】
図３および図４に示すように、薬剤ペーストをさらに最小化するためには、駆動ユニット４に電源４１が一体化されない。外部の電源４１が、電池ボックス６０、電池６４、電源リード６３、プラグ６２、およびペーストに配置された固定のソケット６１を備える。電池６４が電池ボックス６０に配置され、電気の経路を形成すべく電源リード６３を介してプラグ６２へと接続される。固定のソケット６１が、駆動ユニット４２および超音波トランスデューサ３へと電気的に接続されている。この実施例において、被覆層５の一部分が、薬剤層２、超音波トランスデューサ３、および超音波駆動ユニット４２を覆って、これらを粘着層１の第１の領域１１に固定する一方で、残りの部分は、粘着層１の第２の領域１２に組み合わせられ、自由に曲げることができる貼り付け縁を形成する。このペーストを使用するとき、電源をオンにすべくプラグ６３がソケット６４へと挿入され、ペーストが動作を開始する。
【００３９】
治療上の必要性および個々の状況（例えば咽頭炎、骨関節の疾患、筋肉痛、皮膚病、伝統的な漢方医学における鍼治療、など）あるいはヘルスケアのニーズ（例えば美容術、美白、しわの除去、および体重管理）に応じて、さまざまな薬剤をペーストへと染み込ませ、組織へと浸透させることができることを、当業者であれば理解できるであろう。本発明の実施例に開示された超音波薬剤ペーストは、超音波トランスデューサおよび駆動ユニットのサイズが丸型ボタン電池のサイズと同等であり、超音波トランスデューサおよび駆動ユニットの厚さがそのような電池の厚さの約３〜４倍に過ぎない小型化および一体化を特徴とする。その体積が、従来技術の超音波薬剤浸透装置のわずかに約１／（１００〜１０００）である一方で、放射される超音波の強度および持続時間は、薬剤の浸透のための必要性を十分に満足させることができる。本発明による技術が、筋肉痛および骨折を抱える患者の一部へと鎮痛剤を届けるために適用される場合、明白な鎮痛効果を、わずか１０〜２０分で達成することができ、単純に薬剤を塗布するよりも３〜５倍も早い。
【００４０】
本発明によってもたらされる超音波ペーストを詳しく説明し、本発明の原理および実施の形態を、具体的な実施例によって説明した。しかしながら、上記の実施例の説明は、本発明の方法およびその中心となる考え方をよりよく理解するために行われたに過ぎない。具体的な実施の形態および応用における変更を、当業者であれば、本発明の技術的思想に基づいて行うことが可能である。したがって、本発明の開示を、本発明を限定するものとして解釈してはならない。
【符号の説明】
【００４１】
１  粘着層
２  薬剤層
３  超音波トランスデューサ
４  駆動ユニット
４１  電源
４２  超音波駆動回路
５  被覆層
７  オン／オフ用フィルム
１１  第１の領域
１２  第２の領域
６０  電池ボックス
６１  ソケット
６２  プラグ
６３  電源リード
６４  電池
【図１】
2011502659.tif 000003
【図２】
2011502659.tif 000004
【図３】
2011502659.tif 000005
【図４】
2011502659.tif 000006
【図５】
2011502659.tif 000007
【図６】
2011502659.tif 000008
【国際調査報告】
2011502659.tif 000009
2011502659.tif 000010
2011502659.tif 000011
2011502659.tif 000012
2011502659.tif 000013
2011502659.tif 000014
2011502659.tif 000015